(57)【要約】【課題】  ナースコール親機からベッド子機を呼び出したが患者が不在だった場合に、呼び出しがあったことを患者が認識でき、更に患者からのコールバックを可能とする。【解決手段】  ベッド子機１に、コールバック呼び出しの有無を表示するコールバック有無表示部１２、コールバックを実施するコールバックボタン１３を設け、ナースコール親機３のタッチパネル４２にコールバック予約ボタン４２ａを設けた。ナースコール親機３からベッド子機１を呼び出した際にタッチパネル４２に表示されたコールバック予約ボタン４２ａをタッチ操作することで、コールバック待ち状態となり、制御機５は、呼出元のＩＤ、呼出先のＩＤを記憶装置４７に記憶し、ベッド子機１のコールバック有無表示部１２はコールバック待ち表示をする。この状態で、コールバックボタン１３を押下すると、制御機５は記憶したＩＤ情報を基に特定のナースコール親機３を呼び出す。【選択図】  図１
2007244593.tif 000002
【特許請求の範囲】
【請求項１】
看護師を呼び出すためのナースコールボタンを備えたベッド子機と、前記ベッド子機からの呼び出しを表示する廊下灯と、前記ベッド子機からの呼び出しに応答するためのナースコール親機と、前記廊下灯および前記ナースコール親機を制御する制御機とを有し、前記ナースコール親機からベッド子機の呼び出しも可能なナースコールシステムにおいて、
前記ベッド子機に、呼び出しがあったことを表示する呼出表示部を備え、前記ナースコール親機から前記ベッド子機を呼び出しても応答がない場合に、前記呼出表示部を表示動作させて前記ベッド子機からのコールバックを促す呼出通知手段を前記ナースコール親機に備えたことを特徴とするナースコールシステム。
【請求項２】
前記制御機が、前記ベッド子機を呼出操作したナースコール親機のＩＤを記憶するコールバック記憶手段を備える一方、前記ベッド子機にコールバック通話を行うためのコールバックボタンを備え、
前記ベッド子機に設けた呼出表示部が呼出有りの表示中に、前記コールバックボタンが押下されると、前記制御機は、前記コールバック記憶手段に記憶したナースコール親機ＩＤ情報を基に呼出操作した特定のナースコール親機に呼び出しを掛けることを特徴とする請求項１記載のナースコールシステム。
【請求項３】
前記ナースコール親機は、看護師が携行して前記ベッド子機からの呼び出しに応答するための複数の携帯端末を具備し、前記携帯端末にも前記ベッド子機を呼び出すことが可能であって、前記ベッド子機の呼出表示部を表示動作させる呼出通知手段を有し、
前記制御機にベッド子機を呼出操作した携帯端末のＩＤを記憶するコールバック記憶手段を備える一方、前記ベッド子機にコールバック通話を行うためのコールバックボタンを備え、
前記ベッド子機に設けた呼出表示部が呼出有りの表示中に、前記コールバックボタンが押下されると、前記制御機は、前記コールバック記憶手段に記憶した携帯端末ＩＤ情報を基に呼出操作した特定の携帯端末に呼び出しを掛けることを特徴とする請求項１記載のナースコールシステム。
【請求項４】
前記ナースコールボタンが前記コールバックボタンの機能を有すると共に、前記廊下灯にコールバック検出手段を備え、
前記ナースコールボタンの所定時間の長押しが成されたら、前記コールバック検出手段がコールバック応答操作と判断して制御機に通知し、
前記制御機は、前記コールバック記憶手段に記憶したナースコール親機ＩＤ情報或いは携帯端末ＩＤ情報を基に呼出操作した特定のナースコール親機又は携帯端末に呼び出しを掛けることを特徴とする請求項２又は３記載のナースコールシステム。
【発明の詳細な説明】
【技術分野】
【０００１】
本発明は、ナースコールシステムに関し、特に患者から特定の看護師を呼び出しできるナースコールシステムの改良に関する。
【背景技術】
【０００２】
従来より、患者がベッド子機を使用して看護師を呼び出す際、呼出操作した患者に応じて特定の看護師（看護師グループ）に呼び出しが掛かるナースコールシステムがある。このようなナースコールシステムは、看護師グループとこのグループが担当する患者グループを関連付けた情報を制御機等に予め記憶しておき、患者から呼び出しが成されたら、その設定に基づいて呼び出しが成される。こうすることで、呼び出しに対するスムーズな対応を図っている。
また特許文献１では、特定の看護師グループに呼び出しが掛かる動作に加えて、看護師の応答先に優先順位を設け、重複されて呼び出しが成された場合に、応答する看護師に対して緊急度の高い患者からの呼び出しに対して先に応答することが可能となるよう工夫され、更にスムーズな対応を可能としている。
【０００３】
【特許文献１】特開２０００−２７１１７８号公報
【発明の開示】
【発明が解決しようとする課題】
【０００４】
しかしながら、上記従来のナースコールシステムは、患者からの呼び出しに対してはスムーズな対応が可能であるが、ナースコール親機からベッド子機を呼び出したときに、患者が不在等で通話できなかった場合、看護師が呼び出したことを患者に通知することができず不便であった。また、患者がベッドに戻ったときに、呼び出しがあったことを周囲の患者から聞いて応答しようとしてベッド子機のナースコールボタンを押しても、呼出先に設定された複数のナースコール親機や携帯端末等が呼び出されるために、本来の呼出元の看護師と速やかに通話できる訳ではなかった。
【０００５】
そこで、本発明はこのような問題点に鑑み、ナースコール親機或いは携帯端末からベッド子機を呼び出したが患者が不在だった場合に、呼び出しがあったことを患者が認識でき、更に患者からのコールバックを可能とし、呼出元のナースコール親機を特定して応答が可能なナースコールシステムを提供することを目的としている。
【課題を解決するための手段】
【０００６】
上記課題を解決する為に、請求項１の発明は、看護師を呼び出すためのナースコールボタンを備えたベッド子機と、ベッド子機からの呼び出しを表示する廊下灯と、ベッド子機からの呼び出しに応答するためのナースコール親機と、廊下灯およびナースコール親機を制御する制御機とを有し、ナースコール親機からベッド子機の呼び出しも可能なナースコールシステムにおいて、ベッド子機に、呼び出しがあったことを表示する呼出表示部を備え、ナースコール親機からベッド子機を呼び出しても応答がない場合に、呼出表示部を表示動作させてベッド子機からのコールバックを促す呼出通知手段をナースコール親機に備えたことを特徴とする。
この構成により、ナースコール親機から呼び出した患者が不在だった場合に、患者に呼び出しがあったことを通知でき、戻ってきた患者はナースコールボタンによる呼出操作等で、確認することが可能となる。
【０００７】
請求項２の発明は、請求項１に記載の発明において、制御機が、ベッド子機を呼出操作したナースコール親機のＩＤを記憶するコールバック記憶手段を備える一方、ベッド子機にコールバック通話を行うためのコールバックボタンを備え、ベッド子機に設けた呼出表示部が呼出有りの表示中に、コールバックボタンが押下されると、制御機は、コールバック記憶手段に記憶したナースコール親機ＩＤ情報を基に呼出操作した特定のナースコール親機に呼び出しを掛けることを特徴とする。
この構成により、ナースコール親機が複数設置され、通常はナースコールボタンにより複数のナースコール親機が呼び出されるよう設定されていても、コールバックボタンの操作により呼出操作したナースコール親機が呼び出されるため、呼出操作した看護師は安心して患者からの応答を待つことができるし、他の看護師が応答して混乱するような事がない。
【０００８】
請求項３の発明は、請求項１に記載の発明において、ナースコール親機は、看護師が携行して前記ベッド子機からの呼び出しに応答するための複数の携帯端末を具備し、携帯端末にも前記ベッド子機を呼び出すことが可能であって、ベッド子機の呼出表示部を表示動作させる呼出通知手段を有し、制御機にベッド子機を呼出操作した携帯端末のＩＤを記憶するコールバック記憶手段を備える一方、ベッド子機にコールバック通話を行うためのコールバックボタンを備え、ベッド子機に設けた呼出表示部が呼出有りの表示中に、コールバックボタンが押下されると、制御機は、コールバック記憶手段に記憶した携帯端末ＩＤ情報を基に呼出操作した特定の携帯端末に呼び出しを掛けることを特徴とする。
この構成により、携帯端末を使用してベッド子機を呼び出した看護師がナースステーションに居なくても、看護師が使用した携帯端末にコールバックが成されるので、通話しようとした患者が不在であっても、再度呼び出しを掛けることなくスムーズな通話を実現でき、他の看護師が応答して混乱するような事もない。
【０００９】
請求項４の発明は、請求項２又は３記載の発明において、ナースコールボタンがコールバックボタンの機能を有すると共に、廊下灯にコールバック検出手段を備え、ナースコールボタンの所定時間の長押しが成されたら、コールバック検出手段がコールバック応答操作と判断して制御機に通知し、制御機は、コールバック記憶手段に記憶したナースコール親機ＩＤ情報或いは携帯端末ＩＤ情報を基に、呼出操作した特定のナースコール親機又は携帯端末に呼び出しを掛けることを特徴とする。
この構成により、ベッド子機にコールバックボタンを新たに設ける必要がなくなり、ベッド子機の構造が複雑にならない。
【発明の効果】
【００１０】
このように、本発明によれば、ナースコール親機或いは携帯端末から呼び出した患者が不在だった場合に、患者にそれを知らせることができる。また、コールバック機能を備えた場合は、呼出操作した看護師にコーバックが掛かるため、コールバック予約操作をした看護師は患者からの応答を待っていれば良く、他の看護師が応答して混乱するような事がなく、スムーズな通話を実現できる。
【発明を実施するための最良の形態】
【００１１】
以下、本発明を具体化した実施の形態を、図面に基づいて詳細に説明する。
図１は、本発明に係るナースコールシステムの一例を示すブロック図であり、１は病床の患者が看護師を呼び出すためベッド子機、２は病室の出入口付近に設置されベッド子機１からの呼び出しを表示するための廊下灯、３はナースステーションに設置されてベッド子機１からの呼び出しに応答するためのナースコール親機、４は看護師が携行して病院内無線通話を実施する携帯端末、５は廊下灯２、ナースコール親機３、更に携帯端末４との通話を制御する制御機、６は携帯端末４に接続操作する交換機、７は携帯端末４と通信する基地局である。
【００１２】
ベッド子機１は廊下灯２に子機伝送線Ｌ１により夫々接続され、廊下灯２は制御機５から延びている制御機伝送線Ｌ２に接続されている。また、ナースコール親機３は親機伝送線Ｌ３により制御機５に接続され、交換機６は通信伝送線Ｌ４により制御機５に接続されている。
【００１３】
尚、ベッド子機１はベッド毎に設けられ、廊下灯２は病室毎に設置されている。また、ナースコール親機３はナースステーションに設置され、ナースステーションが複数の場合はナースコール親機３も複数となる。また、携帯端末４は、パーソナルハンディーホンシステム（ＰＨＳ）が使用されるが、ＩＰ携帯電話であっても良い。
【００１４】
ベッド子機１は、ナースコール親機３に呼び出しを掛けるナースコールボタン１０と、看護師に対して緊急の呼び出しがある場合に操作するスタッフコールボタン１１と、後述するコールバック呼び出しの有無を表示するコールバック有無表示部（呼出表示部）１２と、コールバック操作をする為のコールバックボタン１３と、呼び出しに応答した看護師との間で通話を行うための子機マイク１４及び子機スピーカ１５とを備えている。
また、子機伝送線Ｌ１において、Ｌ１ａはナースコールボタン１０による通常呼出信号を伝送する通常呼出ライン、Ｌ１ｂはスタッフコールボタン１１による緊急呼出信号を伝送する緊急呼出ライン、Ｌ１ｃはコールバック有無表示部を動作させるコールバック表示部制御ライン、Ｌ１ｄはコールバック呼出信号を伝送するコールバック呼出ライン、Ｌ１ｅは通話のための通話ラインである。
【００１５】
廊下灯２は、廊下灯２を制御するＣＰＵ（以下、廊下灯ＣＰＵとする。）２０と、子機伝送線Ｌ１を介して接続されたベッド子機１のナースコールボタン１０が操作されたことを検出するための通常呼出検出回路２１と、スタッフコールボタン１１が操作されたことを検出するための緊急呼出検出回路２２と、制御機５とデータ送受信をするためのデータ送受信回路（以下、廊下灯データ送受信回路とする。）２３と、ベッド子機１の子機マイク１４及び子機スピーカ１５とを制御する通話回路（以下、廊下灯通話回路という。）２４と、廊下灯通話回路２４と制御機５の間の通話路を制御するための通話制御回路（以下、廊下灯通話制御回路という。）２５と、呼び出しが成されたことを看護師に知らせるために表示動作する表示回路２６と、コールバックボタン１３が操作されたことを検出するコールバック検出回路２７を備えている。
また、制御機伝送線Ｌ２において、Ｌ２ａは制御信号を伝送する制御ライン、Ｌ２ｂは通話音声を伝送する通話ラインであり、廊下灯２は制御機伝送線Ｌ２により制御機５にバス接続されている。
【００１６】
ナースコール親機３は、ナースコール親機３を制御するＣＰＵ（以下、親機ＣＰＵという。）３０と、親機伝送線Ｌ３を介して制御機５とデータ送受信をするためのデータ送受信回路（以下、親機データ送受信回路という。）３１と、ベッド子機１からの通常呼出を報知する呼出音信号を生成する呼出音発生回路（以下、親機呼出音発生回路という。）３２と、ベッド子機１からの通常呼出、または緊急呼出を表示する表示回路３３を備えている。尚、緊急呼出は、病室毎或いはベッド毎に割り当てられた複数の表示灯３３ａ，３３ａ・・のうち、呼び出しのあった病室或いはベッドの表示灯３３ａを表示回路３３が点灯表示して報知させる。
【００１７】
また、ナースコール親機３は、親機呼出音発生回路３２にて生成された呼出音を出力すると共に、患者の音声を出力する親機スピーカ３４と、親機スピーカ３４からの呼出音等で呼び出しが成されたことを認識した看護師が応答するための送受話器３５と、送受話器３５の取り上げの有無によりフックオフ／オンされるフックスイッチ３６と、緊急呼出した患者からの受話音声を親機スピーカ３４から出力させたり、呼出元の患者からの受話音声を送受話器３５のレシーバから出力させるために、音声信号の信号伝送路を切り換える通話切換回路３７と、通話切換回路３７および制御機５の間の音声信号通話路を形成するための通話制御回路（以下、親機通話制御回路という。）３８とを備えている。
【００１８】
更にナースコール親機３は、患者情報等を表示するための液晶表示画面（ＬＣＤ）４０と、ＬＣＤ駆動回路４１と、各種操作を実施するためにＬＣＤ前面に設けられたタッチパネル（呼出通知手段）４２を備えている。また、親機伝送線Ｌ３において、Ｌ３ａは制御信号を伝送する制御ライン、Ｌ３ｂは通話音声を伝送する通話ラインである。
【００１９】
制御機５は、制御機５を制御するＣＰＵ（以下、制御機ＣＰＵという。）４４と、制御機伝送線Ｌ２を介して廊下灯２とデータ送受信すると共に、親機伝送線Ｌ３を介してナースコール親機３とデータ送受信し、更に通信伝送線Ｌ４を介して交換機６とデータ送受信するためのデータ送受信回路（以下、制御機データ送受信回路）４５と、制御機伝送線Ｌ２を介して廊下灯２と音声信号を送受信すると共に、親機伝送線Ｌ３を介してナースコール親機３と音声信号を送受信し、更に通信伝送線Ｌ４を介して交換機６と音声信号を送受信するための通話制御回路（以下、制御機通話制御回路という。）４６と、ベッド子機１の状態等を記憶するための記憶装置４７を備えている。尚、通信制御線Ｌ４において、Ｌ４ａは制御信号を伝送する制御ライン、Ｌ４ｂは通話音声信号を伝送する通話ラインである。
【００２０】
このように構成されたナースコールシステムの動作を次に説明する。但し、ベッド子機１からの呼出操作、及びナースコール親機３或いは携帯端末４によるその応答操作は従来と同様であるので説明を省略し、ここでは発明の要部であるベッド子機１からのコールバック機能の動作について説明する。
【００２１】
ナースコール親機３から患者を呼び出す場合、ナースコール親機３を操作して、ベッド子機１、例えば、Ａ号室のベッド子機１への呼び出しが行われると、制御機ＣＰＵ４４は、まずＡ号室のベッド子機１との通話を行うためにＡ号室のベッド子機１が通話可能かどうかの判定を行う。そして、通話可能であれば、制御機データ送受信回路４５、制御機伝送線Ｌ２、廊下灯データ送受信回路２３を介し、Ａ号室の廊下灯２に対して通話開始を通知する。通話指示を受けた廊下灯ＣＰＵ２０は、廊下灯通話回路２４および廊下灯通話制御回路２５を制御して子機スピーカ１５、子機マイク１４を能動とする。
【００２２】
また、制御機ＣＰＵ４４は、制御機通話制御回路４６を制御して、制御機伝送線Ｌ２の通話ラインＬ２ｂ、および親機伝送線Ｌ３の通話ラインＬ３ｂの間の通話路を形成し、制御機データ送受信回路４５、親機伝送線Ｌ３、親機データ送受信回路３１を介し、親機ＣＰＵ３０にＡ号室のベッド子機１が通話可能であることを通知する。そして、親機ＣＰＵ３０は、ＬＣＤ駆動回路４１を介し、ＬＣＤ４０に通話中であることを表示する。
【００２３】
こうして通話路が形成されて通話中の状態であるにも拘わらず、患者不在等で応答がなかった場合、看護師はコールバック予約を実施できる。コールバック予約は、タッチパネル４２を操作してコールバック予約画面を表示し、表示された呼出通知手段としてのコールバック予約ボタン４２ａを選択すると、親機ＣＰＵ３０は、親機伝送線Ｌ３の中の制御ラインＬ３ａを介し、制御機ＣＰＵ４４にコールバック予約が成されたことを通知する。制御機ＣＰＵ４４は、このコールバック予約信号を受けてコールバック記憶手段としての記憶装置４７に、呼出元ナースコール親機ＩＤと呼出先廊下灯ＩＤ及びベッド子機ＩＤを記憶させる。
そして制御機ＣＰＵ４４は、制御機伝送線Ｌ２（制御機制御ラインＬ２ａ）、廊下灯２、子機伝送線Ｌ１（コールバック表示部制御ラインＬ１ｃ）を介してベッド子機１のコールバック有無表示部１２にコールバック予約有りを表示させる。
【００２４】
その後、戻った患者がベッド子機１のコールバック有無表示部１２でコールバック予約が有ることに気づき、コールバックボタン１３が押下されると、子機伝送線Ｌ１（コールバック呼出ラインＬ１ｄ）、廊下灯２のコールバック検出回路２７を介して、廊下灯ＣＰＵ２０にコールバック呼び出しが通知される。すると廊下灯ＣＰＵ２０は、制御機伝送線Ｌ２（制御機制御ラインＬ２ａ）を介して制御機ＣＰＵ４４にコールバック呼び出しを通知し、制御機ＣＰＵ４４は記憶装置４７のコールバック予約を参照し、呼出元ナースコール親機ＩＤを特定し、親機ＣＰＵ３０にコールバック呼び出しを通知する。
【００２５】
この通知を受けた親機ＣＰＵ３０は、親機呼出音発生回路３２を駆動して呼出音を親機スピーカ３４から鳴動させ、この呼び出しを受けた看護師が送受話器３５を持ち上げることで、通話路が形成されてコールバック予約操作をした看護師と戻ってきた患者との間で通話が実施される。
【００２６】
このように、呼び出し先の患者が不在であっても、戻ってきた患者の呼出操作で呼出操作したナースコール親機が呼び出されるため、呼出操作した看護師は安心して患者からの応答を待つことができるし、他の看護師が応答して混乱するような事がない。そのため、通常はナースコールボタンの操作で複数のナースコール親機が呼び出されるよう構成されていても、コールバック待ちの看護師とスムーズに通話できる。
【００２７】
一方、ナースコール親機３の代わりに携帯端末４により患者を呼び出した場合も同様にコールバック予約を実施できる。
まず、携帯端末４が操作されて、ベッド子機１、例えば、Ａ号室のベッド子機１への呼び出しが行われると、基地局７、交換機６を経由して制御機ＣＰＵ４４で呼出信号が受信され、制御機ＣＰＵ４４は、まずＡ号室のベッド子機１との通話を行うため、Ａ号室のベッド子機１が通話可能かどうか判断する。通話可能であれば、制御機データ送受信回路４５、制御機伝送線Ｌ２（制御機制御ラインＬ２ａ）、廊下灯データ送受信回路２３を介し、Ａ号室の廊下灯２に対して通話開始を通知する。通話指示を受けた廊下灯ＣＰＵ２０は、廊下灯通話回路２４および廊下灯通話制御回路２５を制御して子機スピーカ１５、子機マイク１４を能動とする。
【００２８】
また、制御機ＣＰＵ４４は、制御機通話制御回路４６を制御すると共に交換機６を制御して、制御機５と携帯端末４の間の通話路を形成し、制御機データ送受信回路４５、無線伝送線Ｌ４、交換機６、基地局７を介し、携帯端末４にＡ号室のベッド子機１が通話可能であることを通知する。そして、携帯端末４は、表示部４ａで通話中であることを表示する。
【００２９】
こうして通話路が形成されて通話中の状態であるにも拘わらず、患者不在等で呼び出しても応答がなかった場合、コールバック予約操作を実施できる。コールバック予約は、携帯端末４の所定の操作で行われる。このコールバック予約操作（呼出通知操作）を受けて、制御機ＣＰＵ４４は、記憶装置４７に呼出元携帯端末ＩＤと呼出先廊下灯ＩＤ及び子機ＩＤを記憶する。尚、このコールバック予約操作は、例えば呼出動作中にコールバック予約手段としての「♯」ボタン（図示せず）を例えば２秒間の長押しで実施でき、容易に操作できるよう構成されている。
そして、制御機ＣＰＵ４４は、廊下灯２を制御してベッド子機１のコールバック有無表示部１２にコールバック予約有りを表示させる。
【００３０】
その後、戻った患者がベッド子機１のコールバック有無表示部１２でコールバック予約が有ることに気づき、患者によりコールバックボタン１３が押下されると、廊下灯２のコールバック検出回路２７を介して、廊下灯ＣＰＵ２０にコールバック信号が通知される。すると廊下灯ＣＰＵ２０は、制御機ＣＰＵ４４にコールバック呼び出しを通知し、制御機ＣＰＵ４４は記憶装置４７のコールバック予約を参照し、呼出元携帯端末ＩＤを特定し、交換機６、基地局７を介して、コールバック待ちの携帯端末４にコールバック呼び出しを通知する。こうして、呼出操作をした看護師と戻ってきた患者との間での通話が実施される。
【００３１】
このように、携帯端末を使用してベッド子機を呼び出した看護師がナースステーションに居なくても、看護師が使用した携帯端末にコールバックが成されるので、通話しようとした患者が不在であっても、スムーズな通話を実現できる。また、コールバック予約手段として別途ボタンを設けずに「♯」ボタン等を兼用することで、従来の携帯端末を変更せずに使用できる。
【００３２】
尚、ナースコール親機３の操作、或いは携帯端末４の操作によりＡ号室のベッド子機１を呼び出したが、ベッド子機１が通話中等により通話に入れない場合も、同様にしてコールバック予約をすることができる。具体的にナースコール親機３の場合は、通話中においてタッチパネル４２操作でコールバック予約が成されると、親機ＣＰＵ３０が制御機ＣＰＵ４４にコールバック予約を通知し、制御機ＣＰＵ４４は記憶装置４７に呼出元ナースコール親機ＩＤと呼出先廊下灯ＩＤ及び子機ＩＤを記憶する。更に制御機ＣＰＵ４４は、廊下灯２を介してベッド子機１のコールバック有無表示部１２にコールバック予約有りを表示させる。
【００３３】
一方、携帯端末４の場合は、「♯」ボタンの長押し等でコールバック予約操作が成されると、制御機ＣＰＵ４４にコールバック予約機能が選択されたことが通知され、制御機ＣＰＵ４４は、記憶装置４７に呼出元携帯端末ＩＤと呼出先廊下灯ＩＤ及び子機ＩＤを記憶する。制御機ＣＰＵ４４は、廊下灯２を介してベッド子機１のコールバック有無表示部１２にコールバック予約有りを表示させる。こうして通話中の場合であっても、コールバック予約操作を行う事ができる。
【００３４】
また、上記実施形態ではコールバック機能を設けた構成を述べているが、呼び出しがあった事をベッド子機１に通知する機能だけ設けてもよく、ナースコール親機３から呼び出した患者が不在だった場合に、患者に呼び出しがあったことを通知できれば、戻ってきた患者はナースコールボタンによる呼出操作等で、確認することができ、看護師は患者の応答操作を待つことができ再度呼び出す必要が無くなる。但し、この場合は複数のナースコール親機３や携帯端末４に呼び出しが掛かる事になる。
更に、ベッド子機１にコールバックする為のコールバックボタン１３を専用に設けているが、ナースコールボタン１０を兼用させる事もできる。例えば、ナースコールボタン１０の長押しによりコールバック信号を発生させることが可能である。こうすれば、コールバックボタンを別途設ける必要がなくなる。この場合、上記コールバック検出回路２７は、長押しを検出する機能を備えて通常呼出検出回路２１に組み込まれる。
また、コールバック呼び出し有りの表示をベッド子機１のみで行っているが、廊下灯にも報知動作させても良い。こうすれば、病室に戻ってきた患者は、病室に入る段階で呼び出しがあったことを知る事ができる。
【図面の簡単な説明】
【００３５】
【図１】本発明に係るナースコールシステムの実施形態の一例を示すブロック図であ
【符号の説明】
【００３６】
１・・ベッド子機、２・・廊下灯、３・・ナースコール親機、４・・携帯端末、５・・制御機、１０・・ナースコールボタン、１２・・コールバック有無表示部（呼出表示部）、１３・・コールバックボタン、２０・・廊下灯ＣＰＵ、３０・・親機ＣＰＵ、４２・・タッチパネル、４２ａ・・コールバック予約ボタン（呼出通知手段）、４４・・制御機ＣＰＵ、４７・・記憶装置（コールバック記憶手段）。
【図１】
2007244593.tif 000003